(57)【要約】【課題】見栄えを向上させながらも、板状部材を安定して支持し得る板状部材支持具を提供する。【解決手段】壁面２に沿うように配設される固定片部１６の上端部から前記壁面に垂直な方向に板状部材５を支持する支持片部１１を突出させるように設け、前記固定片部の下端側と前記支持片部の突出方向先端側とを接続するように斜め状に補強斜片部１３を設けた板状部材支持具１であって、前記固定片部には、一端側が壁下地４に固定される補強具６が挿通される補強具挿通孔１９と、該補強具挿通孔に前記補強具が挿通された状態で、当該固定片部に対する厚さ方向への前記補強具の移動を抑止する抑止部１９ａと、が設けられている。【選択図】図１
2015073776.tif 000002
【特許請求の範囲】
【請求項１】
壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた板状部材支持具であって、
前記固定片部には、一端側が壁下地に固定される補強具が挿通される補強具挿通孔と、該補強具挿通孔に前記補強具が挿通された状態で、当該固定片部に対する厚さ方向への前記補強具の移動を抑止する抑止部と、が設けられていることを特徴とする板状部材支持具。
【請求項２】
請求項１において、
前記固定片部の厚さ方向に見て、前記補強斜片部の固定片部側の端部の左右両側にそれぞれ位置するように前記補強具挿通孔及び前記抑止部を設けていることを特徴とする板状部材支持具。
【請求項３】
請求項１または２において、
前記固定片部に設けられた前記抑止部は、前記補強具に設けられた雄ねじ部にねじ合わせられる雌ねじ部であることを特徴とする板状部材支持具。
【請求項４】
請求項３において、
前記壁面と前記固定片部との間に配設され、厚さ方向に見て、前記固定片部と概ね整合する形状とされた受けプレートを更に備えており、
前記受けプレートには、前記固定片部に設けられた前記補強具挿通孔に重なる位置となるように、前記補強具の雄ねじ部がねじ合わせられる雌ねじ孔が設けられていることを特徴とする板状部材支持具。
【請求項５】
請求項１乃至４のいずれか１項において、
前記固定片部の上下寸法を、前記支持片部の突出寸法よりも小さい寸法としていることを特徴とする板状部材支持具。
【発明の詳細な説明】
【技術分野】
【０００１】
本発明は、壁面に沿うように設置されて板状部材を支持する板状部材支持具に関する。
【背景技術】
【０００２】
従来より、壁面に固定される固定部から水平にカウンター天板等の板状部材の下面を支持する支持部を設け、これら固定部と支持部との間に補強用斜材を設けたカウンター用支持具（板状部材支持具）が知られている（例えば、下記特許文献１参照）。このような構成とすれば、支持部に掛かる板状部材及びこれに載置された物品等の荷重を補強用斜材によっても受けることができ、支持部及び固定部の薄型化等を図ることができるものではあった。
【先行技術文献】
【特許文献】
【０００３】
【特許文献１】特開２０１０−１１５３８９号公報
【発明の概要】
【発明が解決しようとする課題】
【０００４】
しかしながら、このような板状部材支持具は、言わば片持ち状に板状部材を支持する構造とされている。そのため、板状部材支持具には、板状部材及びこれに載置された物品等によって、固定部の下端側を概ね支点として支持部の先端側を下方側に向かわせようとするモーメントが作用する。また、住居等の建物内の壁面は、耐火性や防音性等を向上させる観点等から、石膏ボードやロックウールボード等のような比較的剛性の低い（脆弱な）壁面材によって構成される場合が多々ある。このような壁面に、板状部材支持具を沿わせて取り付けた場合において、耐荷重を超えた物品等が載置されたりした場合等に、補強用斜材が設けられていることも相俟って、固定部の下端側部位が壁面材に食い込むことが考えられた。また、このような固定部の壁面材への食い込みを抑制すべく、壁面に対する当接面積を増やすように固定部を大きくすることも考えられるが、固定部が目立ち易くなることが考えられる。
【０００５】
本発明は、上記実情に鑑みてなされたものであり、見栄えを向上させながらも、板状部材を安定して支持し得る板状部材支持具を提供することを目的としている。
【課題を解決するための手段】
【０００６】
上記目的を達成するために、本発明に係る板状部材支持具は、壁面に沿うように配設される固定片部の上端部から前記壁面に垂直な方向に板状部材を支持する支持片部を突出させるように設け、前記固定片部の下端側と前記支持片部の突出方向先端側とを接続するように斜め状に補強斜片部を設けた板状部材支持具であって、前記固定片部には、一端側が壁下地に固定される補強具が挿通される補強具挿通孔と、該補強具挿通孔に前記補強具が挿通された状態で、当該固定片部に対する厚さ方向への前記補強具の移動を抑止する抑止部と、が設けられていることを特徴とする。
【０００７】
本発明においては、前記固定片部の厚さ方向に見て、前記補強斜片部の固定片部側の端部の左右両側にそれぞれ位置するように前記補強具挿通孔及び前記抑止部を設けてもよい。
また、本発明においては、前記固定片部に設けられた前記抑止部を、前記補強具に設けられた雄ねじ部にねじ合わせられる雌ねじ部としてもよい。
また、本発明においては、前記壁面と前記固定片部との間に配設され、厚さ方向に見て、前記固定片部と概ね整合する形状とされた受けプレートを更に備えたものとし、前記受けプレートに、前記固定片部に設けられた前記補強具挿通孔に重なる位置となるように、前記補強具の雄ねじ部がねじ合わせられる雌ねじ孔を設けてもよい。
また、本発明においては、前記固定片部の上下寸法を、前記支持片部の突出寸法よりも小さい寸法としてもよい。
【発明の効果】
【０００８】
本発明に係る板状部材支持具は、上述のような構成としたことで、見栄えを向上させながらも、板状部材を安定して支持することができる。
【図面の簡単な説明】
【０００９】
【図１】本発明の一実施形態に係る板状部材支持具の一例を模式的に示し、図２（ａ）におけるＸ−Ｘ線矢視に対応させた一部破断概略縦断面図である。
【図２】（ａ）は、同板状部材支持具の概略正面図、（ｂ）は、図１における一点鎖線内拡大図に対応させた一部破断概略縦断面図、（ｃ）は、同板状部材支持具の概略底面図である。
【図３】（ａ）は、本発明の他の実施形態に係る板状部材支持具の一例を模式的に示し、図２（ａ）におけるＸ−Ｘ線矢視に対応させた一部破断概略縦断面図、（ｂ）は、同板状部材支持具が備える受けプレートの一例を模式的に示す概略正面図である。
【発明を実施するための形態】
【００１０】
以下に本発明の実施の形態について、図面に基づいて説明する。
なお、以下の各実施形態では、板状部材支持具を壁面に沿わせて設置した状態で、壁面に対面した状態を基準として、手前側を前方側、その逆側を後方側とし、また、その状態を基準として、上下方向及び左右方向の方向を説明する。
【００１１】
図１及び図２は、第１実施形態に係る板状部材支持具の一例を模式的に示す図である。
本実施形態に係る板状部材支持具１は、図１及び図２（a）に示すように、壁面２に沿うように配設され板状部材５を支持する。
この板状部材支持具１によって支持される板状部材５としては、種々の物品が載置される棚板やカウンター状の天板、飾り棚等としてもよく、または肘掛台や腰掛台等としてもよい。
本実施形態では、図２（ｃ）に示すように、板状部材支持具１を、左右方向に沿う寸法（幅寸法）が比較的に小さい寸法とされたものとし、板状部材５の左右方向に沿って適宜の間隔を空けて複数箇所に配設されるものとしている。
【００１２】
この板状部材支持具１が設置される壁面２としては、比較的剛性の低い（脆弱な）壁面材３によって構成されたものとしてもよい。このような壁面材３としては、例えば、石膏ボード（プラスターボード）やロックウールボード等の内装ボードとしてもよい。この壁面材３の表面を、壁面２として把握してもよく、この壁面材３の表面に貼着等されたクロス等の壁紙などの表面化粧材を壁面２として把握してもよい。
このような壁面材３は、図１に示すように、壁面材３よりも剛性の高い壁下地４に固定される。このような壁下地４としては、柱（間柱）や桟、胴縁、木摺、下地板等の木造間仕切下地としてもよく、スタッド（軽鉄）等の鋼製間仕切下地としてもよい。
【００１３】
板状部材支持具１は、壁面２に沿うように配設される固定片部１６と、この固定片部１６の上端部から壁面２に垂直な方向（前後方向）に突出するように設けられ板状部材５を支持する支持片部１１と、を備えている。また、板状部材支持具１は、固定片部１６の下端側と支持片部１１の突出方向先端側とを接続するように斜め状に設けられた補強斜片部１３を備えている。
【００１４】
支持片部１１は、図１及び図２（a）に示すように、厚さ方向を上下方向に沿わせて配設される薄板状とされている。また、支持片部１１は、図２（ｃ）に示すように、突出方向（前後方向に沿う方向）に長尺状とされている。
本実施形態では、図２（ｃ）に示すように、この支持片部１１の固定片部１６側の基端部の左右方向に沿う寸法（幅寸法）よりも、突出方向先端側の幅寸法を小さい寸法としている。このような構成とすれば、固定片部１６側の基端部の強度を向上させながらも軽量化等を図ることができる。図例では、突出方向先端側の幅寸法を全長に亘って均一な寸法とし、基端部と突出方向先端側との幅方向両側の境界部を、厚さ方向に見て、突出方向先側に向かうに従い幅狭となるテーパー形状とした例を示している。なお、このような態様に代えて、支持片部１１を、全長に亘って均一の幅寸法とされたものとしてもよい。
【００１５】
また、支持片部１１には、当該支持片部１１に板状部材５を固定するためのねじや釘等の止具８が挿通される止具挿通孔１２が設けられている。本実施形態では、支持片部１１に、複数の止具挿通孔１２を設けている。図例では、支持片部１１の基端部及び突出方向先端部のそれぞれに、左右方向に間隔を空けて複数箇所（図例では、２箇所）に止具挿通孔１２，１２，１２，１２を設けた例を示している。また、図例では、これら止具挿通孔１２，１２，１２，１２を、止具８の頭部を収容するざぐり（皿孔）等の収容凹所を設けた形状としている。
上記した板状部材５は、この支持片部１１の止具挿通孔１２，１２，１２，１２を介して止着された止具８，８，８，８によって支持片部１１に固定される。
また、本実施形態では、これら複数の止具挿通孔１２，１２，１２，１２の形成位置を含み、当該支持片部１１を、左右対称状としている。
【００１６】
なお、この支持片部１１の突出寸法や幅寸法、厚さ寸法は、板状部材５の大きさ（前後寸法）や用途、板状部材支持具１の耐荷重、外観上の観点や、軽量化を図る観点等から適宜、設定するようにしてもよい。図例では、支持片部１１の突出寸法を、支持片部１１の幅寸法（基端部の幅寸法）の６倍程度とした例を示している。また、支持片部１１の突出方向先端側の幅寸法を、基端部の幅寸法の２／３程度とした例を示している。また、支持片部１１の厚さ寸法は、例えば、１ｍｍ〜２０ｍｍ程度としてもよい。
【００１７】
補強斜片部１３は、図１及び図２（ｃ）に示すように、支持片部１１と固定片部１６とを接続する方向に長尺な形状とされている。本実施形態では、この補強斜片部１３を、図２（ａ）、（ｃ）に示すように、厚さ方向を左右方向に沿わせて配設される薄板状としている。このような構成とすれば、例えば、厚さ方向を、左右方向及び当該補強斜片部１３の長手方向に直交する方向に沿わせたものと比べて、支持片部１１を介して補強斜片部１３に掛かる荷重に対する強度を向上させることができ、補強斜片部１３の変形等を抑制することができる。
また、本実施形態では、図１及び図２（ａ）、（ｃ）に示すように、補強斜片部１３の支持片部１１側の端部（支持片部側端部）１４を、支持片部１１の突出方向先端部に固定している。また、補強斜片部１３の固定片部１６側の端部（固定片部側端部）１５を、固定片部１６の下端部に固定している。
【００１８】
また、本実施形態では、補強斜片部１３を、支持片部１１及び固定片部１６の左右方向の中心に位置するように設けている。
この補強斜片部１３の長さ寸法や幅寸法、厚さ寸法は、支持片部１１の突出寸法及び後記する固定片部１６の上下寸法に応じて、また、上記同様の観点等から適宜、設定するようにしてもよい。本実施形態では、この補強斜片部１３の厚さ寸法を、支持片部１１の厚さ寸法よりも大きい寸法とした例を示している。この補強斜片部１３の厚さ寸法は、例えば、支持片部１１の１．５倍〜５倍程度としてもよく、図例では、３倍程度とした例を示している。
【００１９】
また、この補強斜片部１３は、支持片部１１及び固定片部１６とともに一体的に形成されたものとしてもよいが、支持片部１１及び固定片部１６とは別体とされた部材をこれらに固定して構成されたものとしてもよい。図例では、支持片部１１の突出方向先端部及び固定片部１６の下端部に設けられた凹所に、補強斜片部１３の支持片部側端部１４及び固定片部側端部１５を嵌め入れて固定した例を示している。
また、補強斜片部１３としては、厚さ方向を左右方向に沿わせて配設される薄板状とされたものに限られない。例えば、厚さ方向を、左右方向及び当該補強斜片部１３の長手方向に直交する方向に沿わせて配設される薄板状とされたものや、丸棒状、角棒状等とされたものとしてもよい。
また、補強斜片部１３の支持片部側端部１４及び固定片部側端部１５の各片部との固定位置は、上記した例に限られない。この補強斜片部１３の支持片部側端部１４は、支持片部１１の突出方向中央よりも突出方向先端側に固定するようにすればよく、また、補強斜片部１３の固定片部側端部１５は、固定片部１６の上下方向中央よりも下端側に固定するようにすればよい。
【００２０】
固定片部１６は、図１及び図２（ｂ）、（ｃ）に示すように、厚さ方向を前後方向に沿わせて配設される薄板状とされている。また、固定片部１６は、図２（ａ）に示すように、上下方向に長尺状（縦長状）とされている。この固定片部１６は、図２（ａ）、（ｃ）に示すように、支持片部１１側の端部となる少なくとも上端部の幅寸法が支持片部１１の幅寸法（基端部の幅寸法）と同寸法とされている。
本実施形態では、図２（ａ）に示すように、この固定片部１６を、厚さ方向に見て、上端部から下端部に向かうに従い幅狭となるテーパー形状としている。なお、このような態様に代えて、固定片部１６を、全長に亘って均一の幅寸法とされたものとしてもよい。
【００２１】
また、固定片部１６には、一端側が壁下地４に固定される補強具６が挿通される補強具挿通孔１９が設けられている。この補強具挿通孔１９は、固定片部１６の厚さ方向に見て、補強斜片部１３の固定片部側端部１５の左右両側にそれぞれ位置するように設けられている。本実施形態では、図２（ａ）、（ｂ）に示すように、これら左右両側の補強具挿通孔１９，１９を、固定片部１６の下端部に設けている。また、図例では、これら左右両側の補強具挿通孔１９，１９を、これら左右両側の補強具挿通孔１９，１９の孔心が補強斜片部１３の固定片部側端部１５の下端縁よりも下方側に位置するように設けている。
【００２２】
また、固定片部１６には、補強具挿通孔１９に補強具６が挿通された状態で、当該固定片部１６に対する厚さ方向への補強具６の移動を抑止する抑止部１９ａが設けられている。本実施形態では、補強具挿通孔１９自体に、補強具６が挿通された状態で、固定片部１６に対する厚さ方向への補強具６の移動を抑止する抑止部１９ａを設けた構成としている。
また、本実施形態では、左右両側の補強具挿通孔１９，１９に対応させて、固定片部１６の厚さ方向に見て、補強斜片部１３の固定片部側端部１５の左右両側にそれぞれ位置するように、固定片部１６の下端部に抑止部１９ａ，１９ａを設けている。
【００２３】
本実施形態では、図１及び図２（ａ）、（ｂ）に示すように、補強具６を、一端側が壁下地４に捩じ込まれる雄ねじ部６ａを有し、壁面材３よりも剛性が高い雄ねじとし、抑止部１９ａを、補強具６の雄ねじ部６ａにねじ合わせられる雌ねじ部１９ａとしている。また、本実施形態では、上述のように補強具挿通孔１９自体に抑止部１９ａを設けた構成、つまりは、補強具挿通孔１９を雌ねじ孔とし、その内周面を雌ねじ部１９ａとしている。
補強具６は、雄ねじ部６ａを固定片部１６の雌ねじ部１９ａにねじ合わせることで、固定片部１６に対する厚さ方向への移動が抑止される構成とされている。この補強具６は、頭部６ｂの固定片部１６に対面する側の面（裏面）が、固定片部１６の表面と平行状とされたものとしてもよい。このような構成とすれば、固定片部１６に対するねじ込み過ぎ等を抑制することができる。なお、補強具挿通孔１９に補強具６の頭部６ｂを収容するざぐり等の収容凹所を設けてもよい。
これら補強具６，６は、固定片部１６の補強具挿通孔１９，１９を介して壁下地４に止着されて固定片部１６（当該板状部材支持具１）を壁面２（壁下地４）に固定するための止具としても機能する。
【００２４】
また、本実施形態では、図２（ａ）に示すように、固定片部１６に、固定片部１６（当該板状部材支持具１）を、壁面２（壁下地４）に固定するための止具７が挿通される止具挿通孔１７を設けている。本実施形態では、固定片部１６の上端側部位に、複数の止具挿通孔１７を設けている。図例では、固定片部１６の上端側略半部の左右方向両端部のそれぞれに、上下方向に間隔を空けて複数箇所（図例では、２箇所）に止具挿通孔１７，１７，１７，１７を設けた例を示している。各止具挿通孔１７の内径は、各止具７の外径（胴部の外径）よりも大きい寸法とされている。
また、図例では、これら止具挿通孔１７，１７，１７，１７を、止具７の頭部を収容するざぐり（皿孔）等の収容凹所を設けた形状としている。
【００２５】
これら止具挿通孔１７，１７，１７，１７を介して壁下地４に止着された各止具７，７，７，７によって固定片部１６が壁面２に沿うように固定される。
また、固定片部１６は、下端部に設けられた左右両側の補強具挿通孔１９，１９を介して一端側が壁下地４に固定された各補強具６，６によって、壁面２に対する当該固定片部１６の厚さ方向への移動が抑止された状態で、壁面２に沿うように固定される。つまり、固定片部１６は、各補強具挿通孔１９，１９の雌ねじ部１９ａ，１９ａに各補強具６，６の雄ねじ部６ａ，６ａをねじ合わせ、一端側が壁下地４に固定された各補強具６，６と言わば一体化した状態で、壁面２に沿うように固定される。
【００２６】
また、本実施形態では、これら止具挿通孔１７，１７，１７，１７及び上記した左右両側の補強具挿通孔１９，１９の形成位置を含み、当該固定片部１６を、左右対称状としている。
また、本実施形態では、この固定片部１６と支持片部１１との入隅部にリブ１８を設けている。図例では、左右方向に間隔を空けて、支持片部１１及び固定片部１６の左右方向の中心からそれぞれに等距離となる位置にリブ１８，１８を設けた例を示している。
【００２７】
また、本実施形態では、図１及び図２（ａ）に示すように、固定片部１６の上下寸法を、支持片部１１の突出寸法よりも小さい寸法としている。また、上記のように、本実施形態では、補強斜片部１３の支持片部側端部１４を支持片部１１の突出方向先端部に固定し、補強斜片部１３の固定片部側端部１５を固定片部１６の下端部に固定している。従って、本実施形態では、補強斜片部１３と支持片部１１とのなす角（内角）が、補強斜片部１３と固定片部１６とのなす角（内角）よりも小さくなる構成とされている。
この固定片部１６の上下寸法や幅寸法、厚さ寸法は、上記した支持片部１１と概ね同様の観点等から適宜、設定するようにしてもよい。例えば、固定片部１６の上下寸法を、支持片部１１の突出寸法の１／６〜２／３程度としてもよく、図例では、固定片部１６の上下寸法を、支持片部１１の突出寸法の１／４程度とした例を示している。また、固定片部１６の上下寸法を、固定片部１６の幅寸法の１．５倍程度とした例を示している。また、図例では、固定片部１６の厚さ寸法を、支持片部１１の厚さ寸法と同寸法とした例を示している。
【００２８】
なお、板状部材支持具１は、例えば、アルミニウムやステンレス、鉄、炭素鋼等の金属系材料や木質系材料、樹脂系材料等から形成されたものとしてもよい。また、板状部材支持具１は、適宜、曲げ加工や切削、打ち抜きや、鋳造成型等によって形成されたものとしてもよい。また、板状部材支持具１は、一体的に形成されたものとしてもよく、別部材とされた各片部を適宜、溶接等によって接合して形成されたものとしてもよい。
【００２９】
本実施形態に係る板状部材支持具１は、上述のような構成としたことで、見栄えを向上させながらも、板状部材５を安定して支持することができる。
つまり、板状部材支持具１に、壁面２に沿うように配設される固定片部１６の下端側と板状部材５を支持する支持片部１１の突出方向先端側とを接続するように斜め状に補強斜片部１３を設けている。従って、補強斜片部１３によって支持片部１１の撓みを抑制することができる。
【００３０】
また、固定片部１６に、一端側が壁下地４に固定される補強具６が挿通される補強具挿通孔１９と、この補強具挿通孔１９に補強具６が挿通された状態で、固定片部１６に対する厚さ方向への補強具６の移動を抑止する抑止部１９ａと、を設けている。従って、一端側が壁下地４に固定される補強具６に対して厚さ方向への移動が抑止された状態で固定片部１６が固定されることとなる。これにより、固定片部１６の下端側を概ね支点として支持片部１１の先端側を下方側に向かわせようとする板状部材支持具１に作用するモーメントによって固定片部１６の下端側を壁面材３側に押し付ける方向へ作用する荷重を、壁下地４に固定された補強具６及びこれに固定された固定片部１６によって言わば突っ張り状に受けることができる。これにより、石膏ボード等のような比較的剛性の低い壁面材３によって構成された壁面２に沿わせて板状部材支持具１を取り付けた場合であっても、固定片部１６の壁面材３への食い込みを抑制することができ、板状部材５を安定して支持することできる。また、これにより、壁面材３への食い込みを抑制すべく、固定片部１６を大きくする必要性が低減され、固定片部１６を効果的に小さくすることができ、見栄えを向上させることができる。
【００３１】
また、本実施形態では、補強具挿通孔１９及び抑止部１９ａを、固定片部１６の下端部に設けている。従って、壁面材３側に押し付ける方向へ作用する荷重が特に掛けられる部位となる固定片部１６の下端部に補強具６が設けられることとなり、壁面材３側への上記荷重を、補強具６によってより効果的に受けることができる。
【００３２】
また、本実施形態では、固定片部１６の厚さ方向に見て、補強斜片部１３の固定片部側端部１５の左右両側にそれぞれ位置するように補強具挿通孔１９，１９及び抑止部１９ａ，１９ａを設けている。従って、固定片部１６における補強斜片部１３を介して荷重が多く掛けられる部位側の左右両側に補強具６，６が設けられることとなり、壁面材３側への上記荷重を、これら両側の補強具６，６によってより効果的に受けることができ、固定片部１６の壁面材３への食い込みをより抑制することができる。また、板状部材支持具１の先端側に左右方向の外力等が作用した場合にも、これら左右両側の補強具６，６によって受けることができる。
【００３３】
また、本実施形態では、固定片部１６に設けられた抑止部１９ａを、補強具６に設けられた雄ねじ部６ａにねじ合わせられる雌ねじ部１９ａとしている。従って、補強具６の雄ねじ部６ａを、固定片部１６の雌ねじ部１９ａにねじ合わせることで、簡易な構造で壁下地４に固定された補強具６に対する固定片部１６の厚さ方向への移動を抑止することができる。
【００３４】
また、本実施形態では、固定片部１６の上下寸法を、支持片部１１の突出寸法よりも小さい寸法としている。従って、固定片部１６を目立ちに難くすることができる。また、このように固定片部１６を比較的に小さい寸法として見栄えを向上させながらも、上述のように、補強具６によって固定片部１６の壁面材３への食い込みを抑制することができる。
【００３５】
次に、本発明の他の実施形態に係る板状部材支持具の一例について図面を参照して説明する。
図３は、第２実施形態に係る板状部材支持具を模式的に示す図である。
なお、第１実施形態との相違点について主に説明し、同様の構成については、同一符号を付し、その説明を省略または簡略に説明する。
本実施形態に係る板状部材支持具１Ａは、図３（ａ）に示すように、壁面２と固定片部１６との間に配設される受けプレート２０を備えている。本実施形態に係る板状部材支持具１Ａは、上記した第１実施形態に係る板状部材支持具１を支持具本体１０とし、この支持具本体１０と、受けプレート２０と、を備えた構成とされている。
【００３６】
受けプレート２０は、厚さ方向に見て、固定片部１６と概ね整合する形状とされている。この受けプレート２０は、その厚さ方向を前後方向に沿わせて配設される薄板状とされている。
本実施形態では、この受けプレート２０の上下寸法及び左右寸法を、固定片部１６の上下寸法及び左右寸法と同寸法とし、この受けプレート２０を、厚さ方向に見て、固定片部１６と整合する形状としている。つまり、受けプレート２０を、厚さ方向に見て、上端部から下端部に向かうに従い幅狭となるテーパー形状としている。なお、このような態様に代えて、受けプレート２０を、固定片部１６よりも僅かに小さい形状とされたものや僅かに大きい形状とされたものとしてもよい。この受けプレート２０の厚さ方向に見た形状は、固定片部１６よりも大きくし過ぎれば、目立ち易くなり、固定片部１６よりも小さくし過ぎれば、固定片部１６を安定的に壁面２に対して平行状に配設し難くなる傾向がある。このような観点等から、受けプレート２０を、厚さ方向に見て固定片部１６に整合する形状または固定片部１６を安定的に壁面２に対して平行状に配設可能なように、固定片部１６よりも小さい形状としてもよい。
【００３７】
また、受けプレート２０には、固定片部１６に設けられた補強具挿通孔１９に重なる位置となるように、補強具６の雄ねじ部６ａがねじ合わせられる雌ねじ孔２１が設けられている。つまり、本実施形態では、図３（ｂ）に示すように、固定片部１６に設けられた左右両側の補強具挿通孔１９，１９に対応するように、受けプレート２０の下端部の左右両側に雌ねじ孔２１，２１をそれぞれに設けている。
これら雌ねじ孔２１，２１に、図３（ａ）に示すように、補強具６，６の雄ねじ部６ａ，６ａがねじ合わせられることで、受けプレート２０に対する厚さ方向への補強具６，６の移動が抑止される。つまり、本実施形態では、上記した固定片部１６の雌ねじ部１９ａに加え、受けプレート２０の雌ねじ孔２１に補強具６の雄ねじ部６ａをねじ合わせることで、壁下地４に固定された補強具６に対する固定片部１６及び受けプレート２０の厚さ方向への移動が抑止される構成とされている。
【００３８】
また、本実施形態では、図３に示すように、受けプレート２０に、固定片部１６の止具挿通孔１７と重なる位置となるように止具７が挿通される上端側挿通孔２２を設けている。
図例では、固定片部１６に設けられた複数の止具挿通孔１７，１７，１７，１７の位置に対応させて、受けプレート２０の上端側略半部の複数箇所に上端側挿通孔２２，２２，２２，２２を設けた例を示している。各上端側挿通孔２２の内径は、上記同様、各止具７の外径（胴部の外径）よりも大きい寸法とされている。
また、本実施形態では、これら上端側挿通孔２２，２２，２２，２２及び左右両側の雌ねじ孔２１，２１の形成位置を含み、受けプレート２０を左右対称状としている。
【００３９】
当該板状部材支持具１Ａは、受けプレート２０と固定片部１６とを重ね合わせ、固定片部１６の各止具挿通孔１７，１７，１７，１７及び受けプレート２０の各上端側挿通孔２２，２２，２２，２２を介して壁下地４に止着された各止具７，７，７，７によって壁面２に沿うように固定される。
また、固定片部１６及び受けプレート２０は、補強具挿通孔１９，１９及び雌ねじ孔２１，２１を介して一端側が壁下地４に固定された各補強具６，６によって壁面２に対するこれら固定片部１６及び受けプレート２０の厚さ方向への移動が抑止された状態で、壁面２に沿うように固定される。つまり、固定片部１６及び受けプレート２０は、各補強具挿通孔１９，１９の雌ねじ部１９ａ，１９ａ及び雌ねじ孔２１，２１に各補強具６，６の雄ねじ部６ａ，６ａをねじ合わせ、一端側が壁下地４に固定された各補強具６，６と言わば一体化した状態で、壁面２に沿うように固定される。
【００４０】
なお、図例では、この受けプレート２０の厚さ寸法を、固定片部１６の厚さ寸法と同寸法とした例を示しているが、上記同様の観点等から、適宜、設定するようにしてもよく、例えば、１ｍｍ〜２０ｍｍ程度としてもよい。
また、受けプレート２０は、支持具本体１０（つまり、第１実施形態に係る板状部材支持具１）と同材料で形成されたものとしてもよい。または、受けプレート２０の材料としては、壁面材３よりも剛性の高い材料で形成されたものであればよく、例えば、支持具本体１０とは異なる金属系材料や樹脂系材料、木質系材料等で形成されたものとしてもよい。
また、図例では、雌ねじ孔２１，２１を、受けプレート２０に直接的に設けたような例を示しているが、例えば、受けプレート２０に雌ねじ孔２１，２１を設けたナット部材を埋め込み状に設けた態様としてもよい。
【００４１】
上記構成とされた本実施形態に係る板状部材支持部１Ａにおいても、上記した第１実施形態と略同様の効果を奏する。
また、壁面２と固定片部１６との間に配設される受けプレート２０に、固定片部１６に設けられた補強具挿通孔１９に重なる位置となるように、補強具６の雄ねじ部６ａがねじ合わせられる雌ねじ孔２１を設けている。従って、受けプレート２０と固定片部１６とを重ね合わせ、固定片部１６の雌ねじ部１９ａ及び受けプレート２０の雌ねじ孔２１に補強具６の雄ねじ部６ａをねじ合わせることで、壁下地４に固定された補強具６に対する固定片部１６及び受けプレート２０の厚さ方向への移動を抑止することができる。これにより、補強具６の雄ねじ部６ａと固定片部１６の雌ねじ部１９ａ及び受けプレート２０の雌ねじ孔２１との厚さ方向に沿うねじ合い寸法を、固定片部１６の薄型化を図りながらも上記第１実施形態と比べて大きくすることができ、補強具６に対する固定片部１６の厚さ方向への移動をより強固に抑止することができる。また、この結果、上述のように、固定片部１６と支持片部１１とを一体的に曲げ加工等によって形成したものとすれば、支持片部１１の薄型化も図ることができる。
また、受けプレート２０の形状を、厚さ方向に見て、固定片部１６と概ね整合する形状としている。従って、受けプレート２０を固定片部１６よりも大きくし過ぎたり、小さくし過ぎたりしたものに比べて、固定片部１６を受けプレート２０を介して見栄え良く、かつ、安定的に壁面２に沿わせて取り付けることができる。
【００４２】
なお、上記各実施形態では、固定片部１６の上下寸法を、支持片部１１の突出寸法よりも小さい寸法としているが、このような態様に限られない。例えば、固定片部１６の上下寸法を、支持片部１１の突出寸法と概ね同寸法としたり、支持片部１１の突出寸法よりも大きい寸法としたりしてもよい。
また、上記各実施形態では、固定片部１６（及び受けプレート２０）に止具挿通孔１７（上端側挿通孔２２）を設けた例を示しているが、このような止具挿通孔１７（上端側挿通孔２２）を設けないようにしてもよい。この場合は、上述のように、固定片部１６（板状部材支持具１，１Ａ）を壁面２（壁下地４）に固定するための止具としても機能する補強具６が挿通される補強具挿通孔１９（及び雌ねじ孔２１）を、適所に、例えば、上端側部位等にも設けるようにしてもよい。
【００４３】
また、上記各実施形態では、固定片部１６の補強具挿通孔１９自体を、雌ねじ部１９ａを設けた雌ねじ孔とした例、つまりは、固定片部１６に直接的に雌ねじ部１９ａを構成する雌ねじ孔を設けた例を示しているが、このような態様に限られない。例えば、固定片部１６に雌ねじ部１９ａを構成する雌ねじ孔を設けたナット部材を埋め込み状に設けた態様としてもよい。また、例えば、固定片部１６の表面に、補強具挿通孔１９に整合するように、溶接等によって固定されたナット部材等の雌ねじ孔を雌ねじ部１９ａとしてもよい。
また、上記各実施形態では、抑止部１９ａを雌ねじ部１９ａとしているが、このような態様に限られない。例えば、補強具挿通孔１９の内径を、補強具６の雄ねじ部６ａ（胴部）の外径よりも小さい寸法とし、この補強具挿通孔１９における補強具６の雄ねじ部６ａによってねじ切られる内周部を、抑止部１９ａとして把握するようにしてもよい。また、例えば、固定片部の下端部から上下方向に挿通され、先端を補強具の途中部位に押し付けて固定するような止ねじを抑止部１９ａとしてもよい。この場合には、補強具６をねじ等とする態様に代えて、アンカー状（パイプ状）部材や棒状部材等としてもよい。この場合は、他端側に一端側よりも大径状とされた鍔状部を有したものとしてもよい。
【００４４】
また、上記各実施形態では、固定片部１６の厚さ方向に見て、補強斜片部１３の固定片部側の端部１５の左右両側にそれぞれ位置するように補強具挿通孔１９，１９及び抑止部１９ａ，１９ａを設けているが、このような態様に限られない。例えば、左右両側の補強具挿通孔１９，１９及び抑止部１９ａ，１９ａを、厚さ方向に見て、固定片部１６の下端側略半部に位置するように設けるようにしてもよい。また、これら左右両側の補強具挿通孔１９，１９及び抑止部１９ａ，１９ａの両方または一方を、上下の複数箇所に設けるようにしてもよく、さらには、固定片部１６に、単一の補強具挿通孔１９及び抑止部１９ａを設けた構成としてもよい。
【符号の説明】
【００４５】
１，１Ａ    板状部材支持具
１１        支持片部
１３        補強斜片部
１５        固定片部側端部（固定片部側の端部）
１６        固定片部
１９        補強具挿通孔
１９ａ      雌ねじ部（抑止部）
２０        受けプレート
２１        雌ねじ孔
２          壁面
４          壁下地
６          補強具
６ａ        雄ねじ部
【図１】
2015073776.tif 000003
【図２】
2015073776.tif 000004
【図３】
2015073776.tif 000005